(57)【要約】      （修正有）【課題】火災等の警報が出された場合の一連のスイッチ操作を誤操作することなく簡単且つ確実に操作可能とする。【解決手段】受信機１０の操作パネル１８は、タッチパネル、スイッチ表示パネル及び背光照明用の回路基板の積層構造であり、スイッチの操作部位を示すスイッチシンボルをパネル面に選択的に表示させると共に各スイッチシンボルに相対した位置に配置したタッチセンサによりタッチ操作を検出してスイッチ信号を出力する。例えば受信機１０で火災警報出力した場合、操作パネル１８に火災断定スイッチのスイッチシンボル４６のみを表示し、スイッチシンボル４６が表示されている火災断定スイッチのみの操作を可能とする。【選択図】図１０
2017068524.tif 000002
【特許請求の範囲】
【請求項１】
複数のスイッチを設けた防災設備盤に於いて、
前記各スイッチの操作部位を示すスイッチシンボルをパネル面に選択的に表示させると共に前記各スイッチシンボルに相対した位置に配置したタッチセンサによりタッチ操作を検出してスイッチ信号を出力する操作パネルと、
所定の操作条件に基づき前記操作パネルに操作を必要とする所定のスイッチシンボルを表示してスイッチ操作可能とする制御部と、
を設けたことを特徴とする防災設備盤。
【請求項２】
請求項１記載の防災設備盤に於いて、
前記操作パネルは、
前記各スイッチの操作部位を示すスイッチシンボルを裏面に配置したスイッチ表示パネルと、
前記スイッチ表示パネルの後ろに重ねて配置され、前記スイッチシンボルを個別に背光照明して前記スイッチ表示パネルの前面にスイッチシンボルを表示させる発光部を配置した回路基板と、
前記スイッチ表示パネルの前に重ねて配置され、前記スイッチ表示パネルの各スイッチシンボルに相対した位置に配置したタッチセンサによりタッチ操作を検出してスイッチ信号を出力するタッチパネルと、
を備えたことを特徴とする防災設備盤。
【請求項３】
請求項１記載の防災設備盤に於いて、前記制御部は、
通常監視中に、前記操作パネルに全ての前記スイッチシンボルを表示させると共に、通常監視中に使用するスイッチに対応した一部のタッチセンサを除く残りのタッチセンサからのスイッチ信号による制御を禁止し、
防災警報を出力した場合に、所定の操作条件に基づき前記操作パネルに操作を必要とする所定のスイッチシンボルを表示すると共に、全ての前記タッチセンサからのスイッチ信号による制御を可能としたことを特徴とする防災設備盤。
【請求項４】
請求項１記載の防災設備盤に於いて、前記制御部は、
通常監視中に、前記操作パネルに全ての前記スイッチシンボルを表示させると共に、通常監視中に使用するスイッチに対応した一部のタッチセンサを除く残りのタッチセンサからのスイッチ信号による制御を禁止し、
防災警報を出力した場合に、所定の操作条件に基づき前記操作パネルに操作を必要とする所定のスイッチシンボルを表示すると共に、表示している前記スイッチシンボルに対応する前記タッチセンサからのスイッチ信号による制御を可能とし、表示していない前記スイッチシンボルに対応する前記タッチセンサからのスイッチ信号による制御を禁止したことを特徴とする防災設備盤。
【請求項５】
請求項１記載の防災設備盤に於いて、前記制御部は、
保守施工モードを設定した場合に、前記操作パネルに全てのスイッチシンボルを表示させると共に、全ての前記タッチセンサからのスイッチ信号による制御を可能としたことを特徴とする防災設備盤。
【請求項６】
請求項１記載の防災設備盤に於いて、前記操作パネルを、盤面に設けた開閉自在な扉の内側又は裏側の隠蔽された位置に配置したことを特徴とする防災設備盤。
【請求項７】
請求項１記載の防災設備盤に於いて、前記操作パネルに、スイッチシンボルの表示を操作前の表示に戻すリセットスイッチ又はリターンスイッチの操作部位を示すスイッチシンボルをパネル面に固定的に表示させると共に前記スイッチシンボルに相対して配置したタッチセンサによりタッチ操作を検出してリセット信号又はリターン信号を出力することを特徴とする防災設備盤。
【請求項８】
請求項１記載の防災設備盤に於いて、前記防災設備盤は、火災受信機、分散処理盤、表示盤、各種制御盤を含むことを特徴とする防災設備盤。
【発明の詳細な説明】
【技術分野】
【０００１】
本発明は、火災やガス漏れ等の異常を検出して警報した場合に異常断定操作等のスイッチ操作を必要とする受信機等の防災設備盤に関する。
【背景技術】
【０００２】
従来、火災報知設備の受信機は建物内の防災センターや管理室などに設置されており、感知器や発信機からの火災信号を受信することで、火災代表表示を行うと共に主音響や地区音響装置を鳴動させ、防火戸や防火シャッター等の連動制御を行う。
【０００３】
このため受信機の盤面には、火災やガス漏れを断定して警報停止や連動停止を解除する断定スイッチ、主音響や地区音響を停止するスイッチ、火災でない場合に受信機を復旧させるスイッチ、更には液晶タッチパネル等を設けている。
【０００４】
火災発生により警報が出された場合、防災管理者や防災担当者は予め定められた取扱いの手順に従い、音響停止、現場確認、消防機関への通報、初期消火、避難誘導という手順に従った一連のスイッチ操作や対処を行うことになる。
【先行技術文献】
【特許文献】
【０００５】
【特許文献１】特開平０８−２５５２９４号公報
【特許文献２】特開２００９−０８７１１１号公報
【発明の概要】
【発明が解決しようとする課題】
【０００６】
しかしながら、このような従来の火災報知設備にあっては、火災が発生したときの警報により、管理者があわててしまい、受信機を適切に操作することができない場合が想定される。
【０００７】
また、最近の受信機はプログラムによって色々な機能を設定して実現することができる反面、その多機能化によって受信機前面に多くのスイッチを設けたり、複数のスイッチ操作を必要とするコンビネーション操作、若しくは液晶タッチパネルで操作するようになっており、スイッチが多かったり、スイッチのコンビネーション操作は操作者には解り難く操作がスムーズにできず、特別な訓練が必要である。
【０００８】
また、スイッチの誤操作は建物内の人に火災の発生を知らせることの妨げとなる場合もあり、避難を迅速に行えず、最悪、人命に重大な影響を与える可能性もある。
【０００９】
また、操作手順をスイッチ周辺等にＬＥＤを配置した表示灯付スイッチ等で操作可能なスイッチを表示するなどのガイダンス機能を持たせた受信機もあるが、複数のスイッチが盤面に存在するため完全に誤動作を防ぐということはできない。
【００１０】
本発明は、火災等の警報が出された場合の一連のスイッチ操作を誤操作することなく簡単且つ確実に操作可能とする防災設備盤を提供することを目的とする。
【課題を解決するための手段】
【００１１】
（防災設備盤）
本発明は、複数のスイッチを設けた防災設備盤に於いて、
各スイッチの操作部位を示すスイッチシンボルをパネル面に選択的に表示させると共に各スイッチシンボルに相対した位置に配置したタッチセンサによりタッチ操作を検出してスイッチ信号を出力する操作パネルと、
所定の操作条件に基づき操作パネルに操作を必要とする所定のスイッチシンボルを表示してスイッチ操作可能とする制御部と、
を設けたことを特徴とする。
【００１２】
（操作パネルの構造）
操作パネルは、
各スイッチの操作部位を示すスイッチシンボルを裏面に配置したスイッチ表示パネルと、
スイッチ表示パネルの後ろに重ねて配置され、スイッチシンボルを個別に背光照明してスイッチ表示パネルの前面にスイッチシンボルを表示させる発光部を配置した回路基板と、
スイッチ表示パネルの前に重ねて配置され、スイッチ表示パネルの各スイッチシンボルに相対した位置に配置したタッチセンサによりタッチ操作を検出してスイッチ信号を出力するタッチパネルと、
を備える。
【００１３】
（通常監視中と警報出力中の操作パネル機能１）
制御部は、
通常監視中に、操作パネルに全てのスイッチシンボルを表示させると共に、通常監視中に使用するスイッチに対応した一部のタッチセンサを除く残りのタッチセンサからのスイッチ信号による制御を禁止し、
防災警報を出力した場合に、所定の操作条件に基づき操作パネルに操作を必要とする所定のスイッチシンボルを表示すると共に、全てのタッチセンサからのスイッチ信号による制御を可能とする。
【００１４】
（通常監視中と警報出力中の操作パネル機能２）
制御部は、
通常監視中に、操作パネルに全てのスイッチシンボルを表示させると共に、通常監視中に使用するスイッチに対応した一部のタッチセンサを除く残りのタッチセンサからのスイッチ信号による制御を禁止し、
防災警報を出力した場合に、所定の操作条件に基づき操作パネルに操作を必要とする所定のスイッチシンボルを表示すると共に、表示しているスイッチシンボルに対応するタッチセンサからのスイッチ信号による制御を可能とし、表示していないスイッチシンボルに対応する前記タッチセンサからのスイッチ信号による制御を禁止する。
【００１５】
（保守施工モードでの操作パネル機能）
制御部は、保守施工モードを設定した場合に、操作パネルに全てのスイッチシンボルを表示させると共に、全てのタッチセンサからのスイッチ信号による制御を可能とする。
【００１６】
（操作パネルの隠し配置）
操作パネルを、盤面に設けた開閉自在な扉の内側又は裏側の隠蔽された位置に配置する。
【００１７】
（リセットスイッチ又はリターンスイッチ）
操作パネルは、スイッチシンボルの表示を操作前の表示に戻すリセットスイッチ又はリターンスイッチの操作部位を示すスイッチシンボルをパネル面に固定的に表示させると共にスイッチシンボルに相対して配置したタッチセンサによりタッチ操作を検出してリセット信号又はリターン信号を出力する。
【００１８】
（防災設備盤の種類）
防災設備盤は、火災受信機、分散処理盤、表示盤、各種制御盤を含む。
【発明の効果】
【００１９】
（基本的な効果）
本発明は、複数のスイッチを設けた防災設備盤に於いて、各スイッチの操作部位を示すスイッチシンボルをパネル面に選択的に表示させると共に各スイッチシンボルに相対した位置に配置したタッチセンサによりタッチ操作を検出してスイッチ信号を出力する操作パネルと、所定の操作条件に基づき操作パネルに操作を必要とする所定のスイッチシンボルを表示してスイッチ操作可能とする制御部とを設けるようにしたため、受信機からの火災警報出力に対し現場確認により火災であった場合には、液晶タッチパネルで火災の確認操作を行うと、操作パネルに火災断定スイッチのスイッチシンボルのみが表示され、一方、火災でなかった場合には、液晶タッチパネルで非火災の確認操作を行うと、操作パネルに地区音響一時停止スイッチのスイッチシンボルのみが表示され、操作者は、スイッチシンボルが表示されているスイッチのみを操作することになり、受信機の取扱操作や対処に不慣れな管理者であっても、簡単且つ確実に必要とするスイッチ操作を行って火災に対処することができる。
【００２０】
（スイッチ表示パネルの構成による効果）
また、操作パネルは、各スイッチの操作部位を示すスイッチシンボルを裏面に配置したスイッチ表示パネルと、スイッチ表示パネルの後ろに重ねて配置され、スイッチシンボルを個別に背光照明してスイッチ表示パネルの前面にスイッチシンボルを表示させる発光部を配置した回路基板と、スイッチ表示パネルの前に重ねて配置され、スイッチ表示パネルの各スイッチシンボルに相対した位置に配置したタッチセンサによりタッチ操作を検出してスイッチ信号を出力するタッチパネルとを備えるようにしたため、回路基板、スイッチ表示パネル及びタッチパネルの積層構造により薄型の操作パネルを構成することができ、盤面等への設置が容易であり、また、凹凸のないフラットなスイッチパネルとなることから、デザイン的な自由度も高めることができる。
【００２１】
（通常監視中と警報出力中の操作パネル機能１による効果）
また、制御部は、通常監視中に、操作パネルに全てのスイッチシンボルを表示させると共に、通常監視中に使用するスイッチに対応した一部のタッチセンサを除く残りのタッチセンサからのスイッチ信号による制御を禁止し、防災警報を出力した場合に、所定の操作条件に基づき操作パネルに操作を必要とする所定のスイッチシンボルを表示すると共に、全てのタッチセンサからのスイッチ信号による制御を可能とするようにしたため、スイッチ操作を必要としない通常監視中は、操作パネルに全てのスイッチシンボルを表示していることで、日常的な運用中に、受信機の操作パネルにどのようなスイッチを設けているかが把握できる。また、全てのスイッチシンボルは表示するが、通常監視中に使用するスイッチ、例えば電話呼出しを停止する音響停止スイッチに対応した一部のタッチセンサを除くタッチセンサからのスイッチ信号による制御を禁止しており、通常監視中に使用することのない一部のスイッチシンボルに触れてもスイッチ操作による制御が行われることはない。
【００２２】
一方、火災警報が出力された場合には、操作を必要とするスイッチシンボルのみが表示され、スイッチ操作が可能となる。
【００２３】
（通常監視中と警報出力中の操作パネル機能２による効果）
また、制御部は、通常監視中に、操作パネルに全てのスイッチシンボルを表示させると共に、通常監視中に使用するスイッチに対応した一部のタッチセンサを除く残りのタッチセンサからのスイッチ信号による制御を禁止し、防災警報を出力した場合に、所定の操作条件に基づき操作パネルに操作を必要とする所定のスイッチシンボルを表示すると共に、表示しているスイッチシンボルに対応するタッチセンサからのスイッチ信号による制御を可能とし、表示していないスイッチシンボルに対応するタッチセンサからのスイッチ信号による制御を禁止するようにしたため、通常監視中の全てのスイッチシンボルの表示による効果は、前述した通常監視中の操作パネル機能１による効果と同じになるが、火災警報により操作を必要とするスイッチシンボルのみを表示した場合、表示したスイッチシンボルに対応したタッチセンサからのスイッチ信号による制御のみを可能とし、それ以外のタッチセンサからのスイッチ信号による制御を禁止したことで、表示しているスイッチシンボル以外のタッチセンサに操作者の指が触れても、スイッチシンボルを表示していないスイッチの操作による制御が行われることがなく、スイッチシンボルを表示しているスイッチによる操作のみを確実に行うことができる。
【００２４】
（保守施工モードでの操作パネル機能）
また、制御部は、保守施工モードを設定した場合に、操作パネルに全てのスイッチシンボルを表示させると共に、全てのタッチセンサからのスイッチ信号による制御を可能とするようにしたため、施工または保守の場合には、受信機の操作に習熟した担当者が操作することから、この場合には全てのスイッチを操作可能な状態として、施工や保守に伴うスイッチ操作が容易にできるようにする。
【００２５】
（操作パネルの隠し配置による効果）
また、操作パネルを、盤面に設けた開閉自在な扉の内側又は裏側の隠蔽された位置に配置するようにしたため、受信機パネルにスイッチを露出して配置していた従来の受信機に比べ、より自由な受信機パネルのデザインを可能とする。
【００２６】
（リセットスイッチ又はリターンスイッチによる効果）
また、操作パネルに、スイッチシンボルの表示を操作前の表示に戻すリセットスイッチ又はリターンスイッチの操作部位を示すスイッチシンボルをパネル面に固定的に表示させると共にスイッチシンボルに相対して配置したタッチセンサによりタッチ操作を検出してリセット信号又はリターン信号を出力するようにしたため、操作パネルのスイッチを誤操作した場合等に、スイッチシンボルを固定表示しているリセットスイッチ又はリターンスイッチを操作することで、誤操作前の操作パネル１８の状態に戻すことできる。
【図面の簡単な説明】
【００２７】
【図１】Ｒ型防災監視設備の受信機を示した説明図
【図２】Ｒ型防災監視設備の概要を示したブロック図
【図３】通常監視中における受信機の操作部を取り出して示した説明図
【図４】通常監視中における受信機の子扉を開いた状態を示した説明図
【図５】図４の操作部と子扉内を拡大して示した説明図
【図６】操作パネルを構成するタッチパネルとスイッチ表示パネルを取り出して示した説明図
【図７】操作パネルを構成する回路基板と操作パネルの積層構造を示した説明図
【図８】タッチパネルのタッチセンサ検出回路と回路基板の表示駆動回路を示したブロック図
【図９】火災警報を出力した場合の操作パネルを示した説明図
【図１０】現場で火災を確認した場合の操作パネルを示した説明図
【図１１】現場の火災でないことを確認した場合の操作パネルを示した説明図
【図１２】地区音響一時停止スイッチの操作で切り替わった操作パネルを示した説明図
【図１３】通常監視中の液晶タッチパネルの操作で切り替わった操作パネルを示した説明図
【発明を実施するための形態】
【００２８】
［防災監視設備の概要］
（受信機）
図１はＲ型防災監視設備の受信機を示した説明図である。受信機１０は建物の防災センタや管理人室等に設置されており、伝送機能を備えた火災感知器や中継器を介して接続したガス漏れ検出器等のセンサを伝送線により接続して火災やガス漏れ等の異常を監視し、また、地区音響装置等の制御機器を伝送路に接続して制御動作可能としている。
【００２９】
図１に示すように、受信機１０は箱形の筐体前面に扉構造の受信機パネル１２を配置している。受信機パネル１２には、表示部１４、操作部１６、プリンタ２２を配置している。表示部１４には火災代表灯、ガス漏れ代表灯、外部機器の障害を示す諸表示灯等を設け、更に液晶ディスプレイにタッチパネルを設けた液晶タッチパネル１５を設けている。
【００３０】
操作部１６には、操作パネル１８を設けており、操作パネル１８は発光部を備えた回路基板、スイッチシンボルを配置したスイッチ表示基板及びタッチセンサを配置したタッチパネルを積層した構造であり、スイッチシンボルを背光照明することでパネル前面に表示し、表示しているスイッチシンボルをタッチ操作するとスイッチ信号が出力されて対応する制御が行われる。
【００３１】
操作パネル１８の下には、下向きに開閉自在な子扉２０を設けており、子扉２０の中には、受信機の状態表示灯や電話ジャック等を設けている。
【００３２】
（防災監視設備）
図２はＲ型防災監視設備の概要を示したブロック図である。図２において、Ｒ型の受信機１０には、制御部２４，伝送部２５、表示部１４、操作パネル１８を備えた操作部１６、警報部２６及び移報部２８を設けている。
【００３３】
受信機１０からは施設の警戒エリアに向けて伝送線３０が引き出され、伝送線３０にアナログ感知器３２を接続している。また伝送線３０には中継器３４を接続し、中継器３４から引き出された感知器回線３６にオンオフ感知器３８及び発信機４０を接続している。また別の中継器３４にはガス漏れ検出器４２を接続している。
【００３４】
アナログ感知器３２及び中継器３４は、Ｒ型受信機１０との間で情報を双方向伝送する伝送機能を備えており、Ｒ型受信機１０を含めて固有のアドレスが予め割り当てられている。１つの伝送線３０に接続できるアナログ感知器３２及び中継器３４の数は、例えば最大アドレス数が２５６アドレスの場合、受信機アドレスを除くことから、２５５台以下のアナログ感知器３２及び中継器３４を接続することができる。
【００３５】
なお、受信機１０に設けた別の伝送部からは制御用の伝送線が引き出され、そこに地区音響装置や防排煙機器等の制御機器を伝送路に接続して制御するようにしているが、図示を省略している。
【００３６】
受信機１０の制御部２４は、ＣＰＵ、メモリ、各種の入出力ポートを備えたコンピュータ回路で構成しており、プログラムの実行により所定の受信機制御を行う。
【００３７】
受信機１０からアナログ感知器３２及び中継器３４に対する下り信号は電圧モードで伝送している。この電圧モードの信号は、伝送線３０の電圧を例えば１８ボルトと３０ボルトの間で変化させる電圧パルスとして伝送される。
【００３８】
これに対しアナログ感知器３２及び中継器３４からの上り信号は電流モードで伝送される。この電流モードにあっては、伝送線３０に伝送データのビット１のタイミングで信号電流を流し、いわゆる電流パルス列として上り信号が受信機に伝送される。
【００３９】
受信機１０の制御部２４による受信制御は次のようになる。受信機１０は、通常の監視中にあっては、端末アドレスを順次指定した正常監視用のポーリングコマンドを送信しており、アナログ感知器３２及び中継器３４は自己の設定アドレスに一致するポーリングコマンドを受信すると正常監視応答を行う。このため受信機１０にあっては、ポーリングコマンドに対し応答がなかったアナログ感知器３２または中継器３４を障害として故障を検出することができる。
【００４０】
また受信機１０は、すべての端末アドレスに対するポーリングコマンドの送信周期ごとに一括ＡＤ変換コマンドを繰り返し送信している。アナログ感知器１４は受信機１０からの一括ＡＤ変換コマンドを受信すると、検出している煙濃度や温度などのアナログ検出データをサンプリングし、予め定めた火災レベルと比較している。
【００４１】
アナログ感知器３２でサンプリングしたアナログ検出データが火災レベルを超えた場合には、受信機１０に対しポーリングコマンドに対する応答タイミングで割込信号を送信する。この割込信号は、応答ビット列をオール１とするような通常は使用されない信号を送る。
【００４２】
中継器３４も、受信機１０からの一括ＡＤ変換コマンドに基づき、感知器回線３６に接続しているオンオフ感知器３８あるいはガス漏れ検出器４０の受信状態をサンプリングし、火災発報あるいはガス漏れを検出した場合には、受信機１０に対し割込信号を送信する。
【００４３】
受信機１０は、アナログ感知器３２または中継器３４からの割込信号を受信すると、グループ検索コマンドを発行し、火災を検出したアナログ感知器３２または中継器３４を含むグループからの割込応答を受信してグループを判別する。
【００４４】
続いて、判別したグループに含まれる個々のアナログ感知器３２や中継器３４に対し、順次アドレスを指定したポーリングを行い、アナログデータや火災発報データなどの火災応答を受けることで、火災を検出したアナログ感知器３２または中継器３４の感知器アドレスを認識し、火災警報動作を行うことになる。
【００４５】
［操作パネル］
図３は通常監視中における受信機の操作部を取り出して示した説明図、図４は通常監視中における受信機の子扉を開いた状態を示した説明図、図５は図４の操作部と子扉内を拡大して示した説明図である。
【００４６】
（通常監視中の操作パネル）
図３に示すように、通常監視中にあっては、操作パネル１８には、断定スイッチ４６、音響停止スイッチ４８、地区音響一時停止スイッチ５０、復旧スイッチ５２、地区音響一斉鳴動スイッチ５４及び一括連動移報停止スイッチ５６が表示されているが、通常監視状態で使用する例えば音響停止スイッチ４８のスイッチシンボル４８ｂに対応したタッチセンサ４８ａを除く残りのタッチセンス５０ａ，５２ａ，５４ａ，５６ａからのスイッチ信号による制御を禁止しており、通常監視状態では使用することのない断定スイッチ４６、地区音響一時停止スイッチ５０、復旧スイッチ５２、地区音響一斉鳴動スイッチ５４及び一括連動移報停止スイッチ５６をタッチ操作しても、スイッチとして動作することはない。
【００４７】
図４は操作パネル１８の下側に配置した子扉２０を開いた状態であり、本実施形態にあっては、図５に拡大して示すように、子扉内パネル５８には子扉内表示部６０として、火災蓄積中灯、確認マスク中灯、ガス漏れ遅延中灯、障害マスク中灯、保守主音響停止中灯等の状態表示灯を設け、また非常電話機を接続する電話ジャック６２を設けている。
【００４８】
（操作パネルの構造）
図６は操作パネルを構成するタッチパネルとスイッチ表示パネルを取り出して示した説明図、図７は操作パネルを構成する回路基板と操作パネルの積層構造を示した説明図、図８はタッチパネルのタッチセンサ検出回路と回路基板の表示駆動回路を示したブロック図である。
【００４９】
図６及び図７に示すように、本実施形態の操作パネルは、タッチパネル６４、スイッチ表示パネル６６及び回路基板６８を、図７（Ｂ）のように、重ね合せた積層構造としている。
【００５０】
タッチパネル６４と回路基板６８の間に配置するスイッチ表示パネル６６は、図６（Ｂ）に示すように、回路基板６８に相対した裏面に、断定スイッチ４６、音響停止スイッチ４８、地区音響一時停止スイッチ５０、復旧スイッチ５２、地区音響一斉鳴動スイッチ５４に対応したスイッチシンボル４６ｂ，４８ｂ，５０ｂ，５２ｂ，５４ｂを印刷等により描いており、パネルは乳白色等の半透明な材料であり、通常は表側から裏面のスイッチシンボルは見えないが、背光照明によりスイッチシンボルを表側に透過表示させることができる。
【００５１】
スイッチ表示パネル６６の背後に配置される回路基板６８は、図７（Ａ）に示すように、スイッチシンボル４６ｂ，４８ｂ，５０ｂ，５２ｂ，５４ｂに相対した位置に前面に開口した箱形の発光部４６ｃ，４８ｃ，５０ｃ，５２ｃ，５４ｃを配置しており、発光部４６ｃ，４８ｃ，５０ｃ，５２ｃ，５４ｃには、発光素子として１又は複数のＬＥＤ７０を配置し、スイッチシンボルを背光照明可能としている。
【００５２】
また、スイッチ表示パネル６６の前に配置されるタッチパネル６４は、図６（Ａ）に示すように、スイッチシンボル４６ｂ，４８ｂ，５０ｂ，５２ｂ，５４ｂに相対した位置に、タッチセンサ４６ａ，４８ａ，５０ａ，５２ａ，５４ａを配置している。
【００５３】
タッチパネル６４のタッチセンサ４６ａ，４８ａ，５０ａ，５２ａ，５４ａとしては、例えば静電容量方式のタッチセンサを用いる。静電容量方式のタッチセンサは、カバー、導電膜及びガラス基板の３層からなり、ガラス基板には電極を設け、導電膜により均一な電界が形成されている。人の指がパネル面に触れると、検出回路から電極、導電膜及びカバーを通って微弱な電流が流れ、この電流を検出してスイッチ信号を出力することができる。
【００５４】
操作パネル１８のタッチパネル６４と回路基板６８に対しては、図８に示すように、タッチセンサ検出回路７２と表示駆動回路７４が設けられる。表示駆動回路７４は制御部２４からの発光制御信号により発光部４６ｃ，４８ｃ，５０ｃ，５２ｃ，５４ｃの何れかのＬＥＤを発光駆動し、対応するスイッチシンボルを操作パネル１８の前面に表示する。
【００５５】
タッチセンサ検出回路７２は、タッチパネル６４のタッチセンサ４６ａ，４８ａ，５０ａ，５２ａ，５４ａの各々に所定の駆動電圧を印加して導電膜に電界を発生させており、タッチ操作により流れる微弱電流を検出してスイッチ信号を制御部２４に出力する。
【００５６】
（制御部による操作パネルの制御）
図２に示した受信機１０の制御部２４は、通常監視中にあっては、図８に示す表示駆動回路７４に対し全ての発光制御信号を出力して発光部４６ｃ，４８ｃ，５０ｃ，５２ｃ，５４のＬＥＤを点灯し、図３及び図４に示したように、断定スイッチ４６、音響停止スイッチ４８、地区音響一時停止スイッチ５０、復旧スイッチ５２、地区音響一斉鳴動スイッチ５４の全てを表示する制御を行う。
【００５７】
また、制御部２４は、スイッチ信号に基づきメモリのスイッチテーブルにスイッチ操作情報（オン、オフ）を書込み、このスイッチ操作情報に基づき対応する制御を行っているが、通常監視中にあっては、図８に示すタッチセンサ検出回路７２から出力される全てのスイッチ信号によるスイッチ操作情報の書換えを禁止することで、スイッチ操作による制御を禁止している。このため通常監視中に操作パネル１８のスイッチをタッチ操作しても、スイッチ操作に伴う制御が行われることはない。
【００５８】
また、制御部２４は、火災警報又はガス漏れ警報を出力した場合には、所定の操作条件に基づき操作パネル１８に操作を必要とする所定のスイッチを表示駆動回路７４の駆動制御により表示すると共に、表示しているスイッチシンボルに対応するタッチセンサに対応したタッチセンサ検出回路７２からのスイッチ信号による制御を可能とし、表示していないスイッチシンボルに対応するタッチセンサに対応したタッチセンサ検出回路７２からのスイッチ信号による禁止する制御を行う。この場合のスイッチ信号による制御の許可と禁止も、スイッチテーブルに対するスイッチ操作情報の書換えを許可するか、禁止するかで行う。
【００５９】
なお、火災警報又はガス漏れ警報を出力した場合の制御部２４による他の制御として、操作パネル１８に表示しているスイッチ以外のタッチ操作はないことから、タッチパネル６６に設けている全てのタッチセンサに対応したタッチセンサ検出回路７２からのスイッチ信号による制御を可能としても良い。
【００６０】
更に、制御部２４は、所定の操作により受信機１０に保守施工モードを設定した場合には、操作パネル１８に全てのスイッチを表示させると共に、タッチパネル６６に設けている全てのタッチセンサに対応したタッチセンサ検出回路７２からのスイッチ信号による制御を可能とする制御を行う。
【００６１】
［火災警報を出力した場合の操作パネルの表示と操作］
図９は火災警報を出力した場合の操作パネルを示した説明図、図１０は現場で火災を確認した場合の操作パネルを示した説明図、図１１は現場の火災でないことを確認した場合の操作パネルを示した説明図、図１２は地区音響一時停止スイッチの操作で切り替わった操作パネルを示した説明図である。
【００６２】
まず、受信機１０で火災を検出した場合の制御及び処置の概要は次にようになる。
（１）火災代表灯の点滅、火災発生場所の表示、主音響の出力、地区音響警報の出力。
（２）火災発生場所の確認。
（３）火災の場合の火災断定操作。
（４）１１９番通報。
（５）火災でない場合の地区音響停止操作と復旧操作。
【００６３】
受信機１０で例えば感知器からの火災信号を受信して火災警報を出力したとすると、図９に示すように、液晶タッチパネル１５に、火災発生場所７４が表示され、併せて、火災の現場確認を促すメッセージと現場確認の結果を入力する操作ボタン７６，７８が表示される。このとき操作パネル１８には音響停止スイッチ４８のみが表示され、受信機１０が出力している主音響警報を停止する操作ができる。
【００６４】
現場確認により火災であった場合には、液晶タッチパネル１５の操作ボタン７６を操作すると、図１０に示すように、操作パネル１８は断定スイッチ４６の表示に切り替わり、液晶タッチパネル１５には、断定スイッチ４６の操作を促すメッセージと、その後に行う１１９番通報、避難誘導、初期消火の対処メッセージが表示される。この操作パネル１８につき断定スイッチ４６をタッチ操作すると、そのとき受信機１０で設定している連動停止や移報停止が自動的に解除されることになる。
【００６５】
一方、現場確認により火災でなかった場合には、図９に示した液晶タッチパネル１５の操作ボタン７８を操作すると、図１１に示すように、操作パネル１８は地区音響一時停止スイッチ５０の表示に切り替わり、液晶タッチパネル１５には、地区音響停止操作を促すメッセージとが表示される。この操作パネル１８につき地区音響一時停止スイッチ５０をタッチ操作すると、地区音響装置からの音響出力を一時停止する制御が行われると共に、受信機１０の操作パネル１８は、図１２に示すように、復旧スイッチ５２の表示に切り替わる。
【００６６】
このとき液晶タッチパネル１５には、感知器が作動した原因を取り除いて復旧スイッチを操作する旨のメッセージが表示される。この操作パネル１８について、復旧スイッチ５２をタッチ操作すると、受信機１０を通常監視状態に復旧させる制御が行われ、操作パネル１８は図４に示した通常監視中の表示に戻る。
【００６７】
［通常監視中のスイッチ操作］
図４に示した通常監視中の液晶タッチパネル１５について、「操作する」のボタンを操作すると例えば図１３に示す操作パネル１８の表示に切り替わり、地区音響一斉鳴動スイッチ５４と一斉連動移報停止スイッチ５６が表示され、必要とするスイッチ操作を可能とする。この図１３の操作パネル１８への切替えは、例えば火災警報中の液晶タッチパネル１５に設けたボタン操作から切替えてもよく、火災警報中にも必要に応じて操作可能としている。
【００６８】
［隠し構造の操作パネル］
本発明による操作パネルの他の実施形態として、受信機１０の操作部１６にフラットな扉を設け、この扉の内側又は裏側に、上記の実施形態と同じタッチセンサ付きの操作パネル１８を設けた隠しパネルとしても良い。このため受信パネル１２にはスイッチを設けた操作パネルが存在しないことになり、従来の受信機では実現できない自由なデザインが可能となる。
【００６９】
［リセット機能を備えた操作パネル］
本発明による操作パネルの他の実施形態として、操作パネル１８に、スイッチシンボルの表示を操作前の表示に戻すリセットスイッチ又はリターンスイッチの操作部位を示すスイッチシンボルをパネル面に固定的に表示させると共に、このスイッチシンボルに相対して配置したタッチセンサによりタッチ操作を検出してリセット信号又はリターン信号を出力するように構成し、操作パネルを誤操作した場合、スイッチシンボルを固定表示しているリセットスイッチ又はリターンスイッチを操作することで、誤操作前の操作パネル１８の状態に戻すことができるようにする。
【００７０】
［本発明の変形例］
上記の実施形態は、Ｒ型の受信機の操作パネルを例にとるものであったが、回線単位に火災を監視して警報するＰ型火災報知設備の受信機に適用してもよいし、防排煙制御を行う防排煙制御盤、大規模火災報知設備で受信機に対し分散配置される分散制御処理盤等、複数の操作スイッチを備えた適宜の防災設備盤についても適用できる。
【００７１】
また、上記の実施形態では、通常監視中に、操作パネルに全てのスイッチを表示しているが、通常監視中にスイッチは全く表示せず、火災警報等の操作を必要とする条件が発生した場合に、対応するスイッチを操作パネルに表示して操作可能としても良い。
【００７２】
また、上記の実施形態における操作パネルのタッチパネル、スイッチ表示パネル及び回路基板からなる積層構造は一例であり、適宜の積層構造をとることができる。
【００７３】
また、タッチパネルとして静電容量方式を例にとっているが、感圧型等の適宜のタッチパネルを用いても良い。
【００７４】
また本発明は、その目的と利点を損なうことのない適宜の変形を含み、更に上記の実施形態に示した数値による限定は受けない。
【符号の説明】
【００７５】
１０：受信機
１２：伝送線
１４：表示部
１５：液晶タッチパネル
１６：操作部
１８：操作パネル
２０：子扉
２２：プリンタ
２４：制御部
２５：伝送部
２６：警報部
２８：移報部
３０：伝送線
３２：アナログ災感知器
３４：中継器
３６：感知器回線
３８：オンオフ感知器
４０：発信機
４２：ガス漏れ検出器
４６：断定スイッチ
４６ａ，４８ａ，５０ａ，５２ａ，５４ａ，５６ａ：タッチセンサ
４６ｂ，４８ｂ，５０ｂ，５２ｂ，５４ｂ，５６ｂ：スイッチシンボル
４６ｃ，４８ｃ，５０ｃ，５２ｃ，５４ｃ，５６ｃ：発光部
４８：音響停止スイッチ
５０：地区音響一時停止スイッチ
５２：復旧スイッチ
５４：地区音響一斉鳴動スイッチ
５６：一括連動移報停止スイッチ
６０：子扉表示部
６２：電話ジャック
６４：タッチパネル
６６：スイッチ表示パネル
６８：回路基板
７０：ＬＥＤ
７２：タッチセンサ検出回路
７４：表示駆動回路
【図１】
2017068524.tif 000003
【図２】
2017068524.tif 000004
【図３】
2017068524.tif 000005
【図４】
2017068524.tif 000006
【図５】
2017068524.tif 000007
【図６】
2017068524.tif 000008
【図７】
2017068524.tif 000009
【図８】
2017068524.tif 000010
【図９】
2017068524.tif 000011
【図１０】
2017068524.tif 000012
【図１１】
2017068524.tif 000013
【図１２】
2017068524.tif 000014
【図１３】
2017068524.tif 000015